(57)【要約】【課題】消火栓装置、消火器箱等の消火装置をトンネル壁面に位置調整可能に取り付けることができる消火装置用架台、及び該消火装置用架台を備えた消火装置を提供する。【解決手段】本発明に係る消火装置用架台５は、筐体１の内部に消火用の機器を収納した消火栓装置３をトンネルの壁面７に設置するためのものであって、トンネルの壁面７に固定される下部側固定部材９と、下部側固定部材９に上下方向の位置調整可能に取り付けられる縦部材１１と、縦部材１１と一体又は別体で、トンネルの壁面７に固定された下部側固定部材９に取り付けられた縦部材１１に設けられ、消火栓装置３が載置されて固定される載置固定部材１３とを備えたことを特徴とするものである。【選択図】  図１
2020039596.tif 000002
【特許請求の範囲】
【請求項１】
筐体の内部に消火用の機器を収納した消火装置をトンネルの壁面に設置するための消火装置用架台であって、
前記トンネルの壁面に固定される固定部材と、
該固定部材に上下方向の位置調整可能に取り付けられる縦部材と、
該縦部材と一体又は別体で、前記トンネルの壁面に固定された前記固定部材に取り付けられた前記縦部材に設けられ、前記消火装置が載置されて固定される載置固定部材とを備えたことを特徴とする消火装置用架台。
【請求項２】
前記固定部材と前記縦部材は、両者を接合するための接合部がそれぞれ設けられ、該接合部のうち前記固定部材又は前記縦部材のいずれか一方に設けられるものを高さ方向で複数個所とし、これら複数個所の接合部のうちから所望の位置を選択して前記固定部材又は前記縦部材のいずれか他方の接合部と接合することで、前記縦部材が位置調整可能になっていることを特徴とする請求項１記載の消火装置用架台。
【請求項３】
前記接合部はボルト孔であり、前記固定部材と前記縦部材はボルト接合されることを特徴とする請求項２記載の消火装置用架台。
【請求項４】
前記固定部材又は前記縦部材のいずれか一方の接合部はボルト孔からなり、前記固定部材又は前記縦部材のいずれか他方の接合部は縦方向に長い長孔からなり、該長孔の所望の位置にボルトを挿入して、前記縦部材と前記固定部材をボルト接合することで、前記縦部材が位置調整可能になっていることを特徴とする請求項２記載の消火装置用架台。
【請求項５】
筐体の内部に消火用の機器を収納した消火装置をトンネルの壁面に設置するための消火装置用架台であって、
前記トンネルの壁面に上下方向の位置調整可能に固定される固定部材と、
該固定部材に取り付けられる縦部材と、
該縦部材と一体又は別体で、前記トンネルの壁面に固定された前記固定部材に取り付けられた前記縦部材に設けられ、前記消火装置が載置されて固定される載置固定部材とを備えたことを特徴とする消火装置用架台。
【請求項６】
前記縦部材は前記固定部材に対して前後方向の傾き角度調整可能に取り付けられることを特徴とする請求項５記載の消火装置用架台。
【請求項７】
前記載置固定部材は、前記縦部材と別体からなり、前記縦部材に対して横方向の位置調整可能に前記縦部材に取り付けられることを特徴とする請求項１乃至６のいずれか一項に記載の消火装置用架台。
【請求項８】
請求項１乃至７のいずれか一項に記載の消火装置用架台を備えたことを特徴とする消火装置。
【発明の詳細な説明】
【技術分野】
【０００１】
本発明は、筐体の内部に消火用のホースを収納する消火栓装置、及び筐体の内部に消火器を収納する消火器箱といった消火装置を、トンネルの壁面に設置するための消火装置用架台、及び消火装置用架台を備えた消火装置に関する。
【背景技術】
【０００２】
本発明の消火装置のうちの消火栓装置を例に挙げて説明する。
トンネル等に設置される消火栓装置は、例えば特許文献１に開示されたように、消火栓装置の筐体を「トンネル壁面に形成された箱抜き部分」に設置していた。
この場合、予め消火栓装置を設置するべき位置を正確に計測して、当該位置にアンカーを打ち込んで、該アンカーに消火栓装置を設置するというものである。
【先行技術文献】
【特許文献】
【０００３】
【特許文献１】特開２０１５−４４０３９号公報
【発明の概要】
【発明が解決しようとする課題】
【０００４】
最近の大口径のトンネルはシールド工法によって構築されることが多く、この場合、トンネルの壁面がトンネルの掘削と同時にセグメントで構築されるため、特許文献１に開示されているような箱抜きをすることができず、所定の位置にアンカーを打ち込むことができない。
そのため、セグメント構造のトンネル壁面に消火栓装置を設置する場合、セグメントに予め設けられているインサートアンカーを利用することが考えられる。
ただし、トンネル軸線方向に沿って配置されている各インサートアンカーの位置は、一般的にトンネル壁面に対して一定の位置になるように施工されるが、各インサートアンカーの位置は、車道の路面からの高さが異なっている。この点を、図１８に基づいて説明する。
【０００５】
図１８は、トンネルの軸方向直交断面を示したもので、図１８（ａ）が左カーブ、図１８（ｂ）が右カーブの位置における断面図である。車道の路面８９の図中左側には監視員通路９１が設けられている。図中左側のトンネル壁面に着目して、仮にトンネル径方向1/2の高さの位置（中心線と壁面の交点Ａ）にインサートアンカーが設けられていたとすれば、この位置は、トンネルの壁面全体に対する絶対位置は、図１８（ａ）、図１８（ｂ）のいずれの場合もトンネル径方向1/2の高さ位置であり、両者は同じ高さ位置である。
【０００６】
しかし、左カーブの場合には、図１８（ａ）に示すように、路面８９の左側が低く、右側が高い傾斜面となり、他方、右カーブでは、図１８（ｂ）に示すように、路面８９の左側が高く、右側が低い傾斜面となるため、Ａ点の位置は左カーブの路面８９からの距離と右カーブの路面８９からの距離が大きく異なる。このような違いは、トンネル径やカーブの緩急にもよるが、大きい場合で１ｍ程度にもなる。
このため、仮にトンネル壁面において同じ高さ位置のインサートアンカーを用いて消火栓装置を固定したとしても、消火栓装置の路面８９からの位置が異なることになる。
【０００７】
一方で、トンネル壁面に設置される消火栓装置は、監視員通路９１からのみではなく路面８９からの操作も想定されるため、操作位置が路面８９から一定であることが求められる。
しかし、インサートアンカーを用いてその位置に消火栓装置を固定した場合には、上述したように、消火栓装置の路面８９からの高さ位置が異なるため、操作位置が所定の位置にならないという問題がある。
そこで、インサートアンカーを用いた場合であっても、路面８９からの操作位置を一定にすることができる消火装置用架台が求められている。
【０００８】
なお、シールドトンネルでないトンネル壁面に消火栓装置を取り付ける場合、前述したように所定の位置にアンカーを打ち込むことになるが、打ち込んだアンカーを基準にして消火栓装置を設置する場合、アンカーの位置を予め正確に計測する必要がある。しかし、上述したように、トンネル内はカーブによって路面高さが変化するため、数十メートル毎に設置される消火栓装置について、路面８９から一定の高さを正確に計測して設置するのは難しい。
このため、シールドトンネル以外のトンネルであっても、アンカー設置後において、そのアンカー位置から位置調整して消火栓装置を設置できる消火装置用架台が求められている。
【０００９】
トンネル壁面には、消火栓装置の他、内部に消火器を収容した消火器箱が設置されることがあり、上記の課題は消火器箱についても共通するものである。
【００１０】
したがって、本発明は、消火栓装置、消火器箱等の消火装置をトンネル壁面に位置調整可能に取り付けることができる消火装置用架台、及び該消火装置用架台を備えた消火装置を提供することを目的としている。
【課題を解決するための手段】
【００１１】
（１）本発明に係る消火装置用架台は、筐体の内部に消火用の機器を収納した消火装置をトンネルの壁面に設置するための消火装置用架台であって、
前記トンネルの壁面に固定される固定部材と、該固定部材に上下方向の位置調整可能に取り付けられる縦部材と、該縦部材と一体又は別体で、前記トンネルの壁面に固定された前記固定部材に取り付けられた前記縦部材に設けられ、前記消火装置が載置されて固定される載置固定部材とを備えたことを特徴とするものである。
【００１２】
（２）また、上記（１）に記載のものにおいて、前記固定部材と前記縦部材は、両者を接合するための接合部がそれぞれ設けられ、該接合部のうち前記固定部材又は前記縦部材のいずれか一方に設けられるものを高さ方向で複数個所とし、これら複数個所の接合部のうちから所望の位置を選択して前記固定部材又は前記縦部材のいずれか他方の接合部と接合することで、前記縦部材が位置調整可能になっていることを特徴とするものである。
【００１３】
（３）また、上記（２）に記載のものにおいて、前記接合部はボルト孔であり、前記固定部材と前記縦部材はボルト接合されることを特徴とするものである。
【００１４】
（４）また、上記（２）に記載のものにおいて、前記固定部材又は前記縦部材のいずれか一方の接合部はボルト孔からなり、前記固定部材又は前記縦部材のいずれか他方の接合部は縦方向に長い長孔からなり、該長孔の所望の位置にボルトを挿入して、前記縦部材と前記固定部材をボルト接合することで、前記縦部材が位置調整可能になっていることを特徴とするものである。
【００１５】
（５）また、筐体の内部に消火用の機器を収納した消火装置をトンネルの壁面に設置するための消火装置用架台であって、
前記トンネルの壁面に上下方向の位置調整可能に固定される固定部材と、
該固定部材に取り付けられる縦部材と、
該縦部材と一体又は別体で、前記トンネルの壁面に固定された前記固定部材に取り付けられた前記縦部材に設けられ、前記消火装置が載置されて固定される載置固定部材とを備えたことを特徴とするものである。
【００１６】
（６）また、上記（５）に記載のものにおいて、前記縦部材は前記固定部材に対して前後方向の傾き角度調整可能に取り付けられることを特徴とするものである。
【００１７】
（７）また、（１）乃至（６）のいずれかに記載のものにおいて、前記載置固定部材は、前記縦部材と別体からなり、前記縦部材に対して横方向の位置調整可能に前記縦部材に取り付けられることを特徴とするものである。
【００１８】
（８）また、本発明に係る消火装置は、（１）乃至（７）のいずれかに記載の消火装置用架台を備えたことを特徴とするものである。
【発明の効果】
【００１９】
本発明に係る消火装置は、トンネルの壁面に固定される固定部材と、該固定部材に上下方向の位置調整可能に取り付けられる縦部材と、該縦部材と一体又は別体で、トンネルの壁面に固定された前記固定部材に取り付けられた前記縦部材に設けられ、前記消火装置が載置されて固定される載置固定部材とを備えたことにより、消火装置をトンネル壁面に位置調整可能に取り付けることができる。これによって、シールドトンネルの場合には、インサートアンカーを利用して、路面８９からの高さ位置が一定となるように消火装置をトンネルの壁面に取り付けることができる。また、トンネル壁面にアンカーを打ち込んで該アンカーを利用して消火装置を設置する場合には、アンカー位置がずれていても、アンカー設置後に正しい位置に消火装置を設置できるので、アンカーの高い施工精度が要求されず、消火装置の設置の施工効率が向上する。
【図面の簡単な説明】
【００２０】
【図１】本発明の実施の形態に係る消火装置用架台を用いて消火栓装置をトンネル壁面に設置した状態の正面図である。
【図２】図１に示した消火栓装置の取付状態の側面図である。
【図３】図１に示した消火装置用架台のみをトンネル壁面に設置した状態の正面図である。
【図４】消火栓装置の背面を説明する説明図である。
【図５】図１に示した消火装置用架台を構成する一部品（下部側固定部材）を示す図であり、図５（ａ）が側面図、図５（ｂ）が平面図、図５（ｃ）が背面図、図５（ｄ）が正面図である。
【図６】図１に示した消火装置用架台を構成する一部品（縦部材）を示す図であり、図６（ａ）が背面図、図６（ｂ）が平面図、図６（ｃ）が側面図である。
【図７】図１に示した消火装置用架台の動作を説明する説明図である。
【図８】図１に示した消火装置用架台を構成する一部品（載置固定部材）を示す図であり、図８（ａ）が正面図、図８（ｂ）が平面図、図８（ｃ）が側面図である。
【図９】図１に示した消火装置用架台を構成する一部品（壁面側固定部材）を示す図であり、図９（ａ）が側面図、図９（ｂ）が平面図、図９（ｃ）が背面図、図９（ｄ）が正面図である。
【図１０】図１に示した消火装置用架台を構成する一部品（筐体側固定部材）を示す図であり、図１０（ａ）が背面図、図１０（ｂ）が平面図、図１０（ｃ）が側面図である。
【図１１】図１に示した消火装置用架台の他の態様の説明図である。
【図１２】図１に示した消火装置用架台を構成する下部側固定部材の他の態様の説明図であり、図１２（ａ）が側面図、図１２（ｂ）が平面図である。
【図１３】図１に示した消火装置用架台を構成する縦部材の他の態様の説明図であり、図１３（ａ）が側面図、図１３（ｂ）が平面図、図５（ｃ）が正面図である。
【図１４】本発明の他の実施の形態に係る消火装置用架台を用いて消火栓装置をトンネル壁面に設置した状態の側面図である。
【図１５】図１４に示した消火装置用架台を構成する下部側固定部材の説明図であり、図１５（ａ）が側面図、図１５（ｂ）が平面図、図１５（ｃ）が背面図、図１５（ｄ）が正面図である。
【図１６】図１４に示した消火装置用架台を構成する縦部材の説明図であり、図１６（ａ）が背面図、図１６（ｂ）が平面図、図１６（ｃ）が側面図である。
【図１７】図１５、図１６に示した下部側固定部材と縦部材の作用の説明図である。
【図１８】本発明が解決しようとする課題を説明する説明図であって、トンネル軸方向直交断面を示している。
【発明を実施するための形態】
【００２１】
［実施の形態１］
以下の説明は、消火装置として、図１に示すように、筐体１の内部に消火用の機器としての消火用ホースを収納した消火栓装置３を例に挙げて説明する。
なお、本明細書において方向を表す用語としての、上下方向や前後方向は消火栓装置３を壁面７に設置した状態を基準にしており、上下方向は文字通りの意味であり、前後方向は壁面から離れる方向を前方向、その反対で壁面に近づく方向を後方向としている。
【００２２】
本実施の形態に係る消火装置用架台５は、消火栓装置３をトンネルの壁面７に設置するための消火装置用架台５であって、図１〜図３に示すように、トンネルの壁面７に固定される固定部材としての下部側固定部材９と、下部側固定部材９に上下方向の位置調整可能に取り付けられる縦部材１１と、該下部側固定部材９および縦部材１１とは別体で、トンネルの壁面７に固定された下部側固定部材９に取り付けられた縦部材１１に設けられ、消火栓装置３が載置されて固定される載置固定部材１３とを備えたことを特徴とするものである。
なお、本実施の形態の消火装置用架台５は消火栓装置３の筐体１の底面を載置固定するものであるため、上記の構成で機能するが、本実施の形態では、消火栓装置３をより安定して固定するために、消火栓装置３の背面側をトンネルの壁面７に固定して消火栓装置３の姿勢を保持する背面固定部材１５を備えている。
以下、各構成を詳細に説明する。
【００２３】
＜消火栓装置＞
消火栓装置３は、筐体１の内に消火用の機器としての消火用ホースを収容するものである。なお、消火栓装置３には、消火用ホースに加えて消火器も収納するものも含まれる。
筐体１は、鋼板製の矩形の箱状からなり、底面には、消火装置用架台５の一部品を構成する載置固定部材１３にボルト固定するためのボルト挿入孔（図示なし）が設けられている。
また、筐体１の正面パネルには、開閉扉（図示なし）が設けられており、消火栓装置３を使用する場合には、開閉扉を開扉して使用する。
【００２４】
さらに、筐体１は、図２に示すように、その背面の所定高さより下の部分が、上方から下方に向かう方向で、かつ背面側から前面側に向かって傾斜する傾斜面部１７になっている。
筐体１の背面側に傾斜面部１７を設けることで、トンネルの壁面７に設置するときに、シールドトンネルのトンネルの壁面７との干渉を避けることができ、消火栓装置３の壁面７からの突出をできるだけ小さくすることができる。
【００２５】
また、筐体１の背面には、図４に示すように、その左右両端部に高さ方向で複数のボルト孔７８が形成されている。このボルト孔７８は、後述の筐体側固定部材５５をボルト固定するためのものであり、高さ方向に複数設けられたボルト孔７８を適宜選択することで、筐体側固定部材５５を所望の高さ位置に固定することができる。
【００２６】
＜下部側固定部材＞
下部側固定部材９は本発明の固定部材に相当するものであり、壁面７のインサートアンカー１９に固定される部材であって、図５に示すように、矩形状の背面プレート２１と、後端側が背面プレート２１に接合され、前端側に係合部材２３が接合された連結部材２５と、連結部材２５の前端に固定された係合部材２３とからなる。
【００２７】
背面プレート２１は、略中央部にボルトが挿入されるボルト孔２７が設けられている。ボルト孔２７にボルトを挿入して該ボルトをインサートアンカー１９にねじ込むことで、背面プレート２１が壁面７に固定される。
【００２８】
連結部材２５は、断面コ字状の部材からなり、後端面と前端面とが所定の角度θを成すように設定されている（図５（ａ）参照）。このθは、インサートアンカー１９位置のトンネルの壁面７の傾斜角度と略一致している。連結部材２５の後端面と前端面に所定の角度θを設定することで、連結部材２５の後端に背面プレート２１を固定し、背面プレート２１をトンネルの壁面７に沿って配設すると、連結部材２５の前端面が略垂直面となり、連結部材２５の前端面に係合部材２３を鉛直方向に取り付けられるようになっている。
係合部材２３は、水平断面がコ字状で、コ字の対向する片部２９には上下二箇所に位置決め用の接合部としてのボルト孔３１が設けられている。前述したように、背面プレート２１をトンネルの壁面７の傾斜に沿って取り付けたときに、係合部材２３は略垂直になる。
【００２９】
＜縦部材＞
縦部材１１は、図６に示すように、係合部材２３と同様の断面がコ字状の縦長の部材であり、対向する一対の片部３３に、接合部としての例えば８個のボルト孔３５が設けられている。
また、一対の片部３３を繋ぐ正面部３７における上端の正面側には、載置固定部材１３の、前側に屈曲した片部４３の背面に当接する管状突起部３９が設けられている。また、管状突起部３９が設けられた正面部３７における背面側には、ナット４１が設けられている。
【００３０】
図７に示すように、縦部材１１の対向する片部３３を、下部側固定部材９における係合部材２３の対向する片部２９の間に挿入し、両者を嵌合させる。そして、係合部材２３のボルト孔３１と縦部材１１のボルト孔３５の位置を合わせて、位置決め用のボルトを挿入することで、縦部材１１の位置固定が行われる。
図７において、一点鎖線の位置は、背面プレート２１を固定するインサートアンカー１９の位置であり、この位置に、下部側固定部材９が固定されている。図７（ａ）〜図７（ｃ）の順で、縦部材１１の位置が上方に移動している。このとき、下部側固定部材９に結合される縦部材１１のボルト孔３５は、上部のものから下部のものへと移動している。
このように、縦部材１１の下部側固定部材９に対する上下方向の相対位置を調整することで、縦部材１１の上端に設けられている載置固定部材１３の上下方向の位置調整が可能になっている。載置固定部材１３の上下方向の位置調整をすることで、載置固定部材１３に載置固定される消火栓装置３の上下方向の位置調整ができる。
【００３１】
＜載置固定部材＞
載置固定部材１３は、消火栓装置３の筐体１が載置されて固定される部材である。載置固定部材１３は、消火栓装置３の筐体１の横幅と同一の長さを有する、軸直交断面が略コ字状の部材である。載置固定部材１３は、図７に示すように、コ字の開口側を下にして縦部材１１の上端に設置される。そして、コ字の対向する片部４３を繋ぐ面部が、筐体１が載置固定される載置固定面部４５となっている。載置固定面部４５の両端部には、筐体１と連結するためのボルトを挿通するボルト孔４７が設けられている。また、載置固定面部４５の両端部には、矩形状の開口部４９が設けられて、配線等を挿通可能になっている（図８参照）。
【００３２】
載置固定部材１３の前側の片部４３には、ほぼ全長に亘るスリット５１が形成されている。スリット５１は、載置固定部材１３を縦部材１１に固定するためのものであり、図７に示すように、縦部材１１の管状突起部３９をスリット５１の背面側に位置させ、この状態で、ボルトを挿入して縦部材１１のナット４１に螺合させて締め付けることで、載置固定部材１３が縦部材１１に対して所望の位置に固定される。すなわち、載置固定部材１３における前側の片部４３にスリット５１を設け、スリット５１と縦部材１１とを所望の位置で固定できるようしたことで、消火栓装置３の横方向（左右方向）の位置調整可能になっている。
【００３３】
＜背面固定部材＞
背面固定部材１５は、トンネルの壁面７のインサートアンカー１９に固定される壁面側固定部材５３と、消火栓装置３の筐体１の背面側の所望の位置に取り付けられると共に壁面側固定部材５３に連結固定される筐体側固定部材５５からなる。
【００３４】
《壁面側固定部材》
壁面側固定部材５３は、図９に示すように、インサートアンカー１９に固定される固定面部５７と、固定面部５７に対して略直角で前方に屈曲形成されて筐体側固定部材５５に連結される壁面側連結面部５９と、壁面側連結面部５９の側端部と固定面部５７の側端部からなるＬ字状の部位に、両方に亘るように設けられて固定面部５７と壁面側連結面部５９を補剛する補剛面部６１を有するものである。
【００３５】
固定面部５７にはインサートアンカー１９に固定されるボルトが挿通されるボルト孔６３が設けられている。このボルト孔６３は、図９（ｃ）、図９（ｄ）に示すように、縦方向に長い長孔になっており、上下の位置ずれに対する調整が可能になっている。
壁面側連結面部５９の中央にはボルト孔６５が設けられ、壁面側連結面部５９のボルト孔６５が設けられた位置における下面にはナット６７が固定されている。
【００３６】
《筐体側固定部材》
筐体側固定部材５５は、図１０に示すように、軸直交断面がＬ字のアングル材からなり、筐体１の背面にボルト固定される筐体側固定面部６９と、壁面側固定部材５３の壁面側連結面部５９に載置されて固定される筐体側連結面部７１とを有している。
筐体側固定面部６９の両端にはボルト孔７３と、ボルト孔７３が設けられた部位に固定されたナット７５とが設けられている。
また、筐体側連結面部７１には、ほぼ全長に亘るスリット７７が形成されており、スリット７７にボルトを挿入して壁面側連結面部５９にボルト固定することで、壁面側固定部材５３に対して横方向の位置を調整して固定できるようになっている。
【００３７】
前述したように、筐体１の背面には、縦部材１１の調整高さに対応して、高さ方向に複数のボルト孔７８が形成されており、筐体側固定部材５５は、縦部材１１の高さ位置に対応して予め筐体１の背面に固定される（図４参照）。
【００３８】
以上のように構成された、本実施の形態の消火装置用架台５を用いて消火栓装置３をトンネルの壁面７に取り付ける取付方法を説明する。
【００３９】
まず、下部側固定部材９をトンネルの壁面７にボルト固定する。具体的には、下部側固定部材９における背面プレート２１のボルト孔２７をインサートアンカー１９の位置に合わせて、ボルトをねじ込むことで、背面プレート２１をトンネルの壁面７に固定する。本実施の形態では、図１、図３に示すように、１台の消火栓装置３を設置するのに２個の下部側固定部材９を使用しているので、２個の下部側固定部材９を固定する。
【００４０】
次に、各下部側固定部材９に縦部材１１を、その高さを所定の高さに調整して取り付ける。
高さの調整は、縦部材１１に設けている複数のボルト孔３５のうちから最も適切なボルト孔３５を選択することによって行う。
なお、縦部材１１を調整する所定の高さとは、消火栓装置３を設置した状態において、消火栓装置３の操作部の位置が、車道の路面８９から予め設定した所定の高さになる高さである。
【００４１】
次に、縦部材１１の上端面に載置固定部材１３を設置し、載置固定部材１３の左右方向の位置を所定の位置に調整する。縦部材１１の上端面に載置固定部材１３を載置した状態では、図７に示すように、縦部材１１の上端部に設けられている管状突起部３９をスリット５１の背面側に位置させる。
なお、消火栓装置３は、トンネル内において、所定の距離（例えば、５０ｍ）毎に設置することを要求されることがあり、トンネルに沿って設置されている各消火栓装置３との距離を所定の距離になるようにする必要がある。したがって、載置固定部材１３の左右方向の位置調整は、隣接する消火栓装置３の位置との距離が所定の距離になるように調整するものである。
【００４２】
載置固定部材１３の左右位置が決定すると、ボルトを載置固定部材１３のスリット５１に挿入して、縦部材１１の管状突起部３９を貫通させてナット４１に螺合させて固定する。このとき、管状突起部３９が載置固定部材１３のスリット５１の背面側を支持するので、ボルトをねじ込んだ際にも、載置固定部材１３における前側の片部４３の変形を防止できる。
【００４３】
次に、背面固定部材１５における壁面側固定部材５３を、下部側固定部材９を取り付けたインサートアンカー１９の上方にあるインサートアンカー１９に固定する。なお、壁面側固定部材５３の取り付けは、下部側固定部材９の取り付けと同時に行ってもよい。
次に、消火栓装置３の筐体１の背面の所定の位置に筐体側固定部材５５をボルト固定する。前述したように、筐体１の背面には高さ方向に複数のボルト挿入孔が設けられているが、筐体側固定部材５５を取り付けるボルト挿入孔は、消火栓装置３の底面からの高さが、高さ調整がされている載置固定部材１３の上面から壁面側固定部材５３までの高さと略同一高さとなるものを選択する。
【００４４】
次に、消火栓装置３を載置固定部材１３に載置して、消火栓装置３の底面と載置固定部材１３をボルトによって固定する。このとき、載置固定部材１３は、高さ方向及び左右方向の位置調整がされているので、消火栓装置３のボルト挿入孔の位置を、載置固定部材１３のボルト孔４７の位置に合わせて載置することで、消火栓装置３の路面８９に対する上下方向及び左右方向の位置が所定の位置となる。
また、消火栓装置３を載置固定部材１３に載置する際には、筐体側固定部材５５における筐体側連結面部７１を壁面側固定部材５３における壁面側連結面部５９に載置し、両者をボルト接合する。この際、壁面側固定部材５３の固定面部５７には縦方向に長孔のボルト孔６３が設けられているので、壁面側固定部材５３の上下方向の位置を微調整することができる。
【００４５】
以上のように、本実施の形態の消火装置用架台５によれば、トンネルの壁面７のセグメントに設けられたインサートアンカー１９を利用して消火栓装置３をトンネルの壁面７に設置することができ、しかも、高さ方向の位置調整ができるので、車道の路面８９からインサートアンカー１９の高さ位置が異なっていても、車道の路面８９から消火栓装置３の操作部までの高さを一定にすることができる。
また、本実施の形態では、消火栓装置３が載置固定される載置固定部材１３の左右方向の位置調整を可能にしているので、必ずしも消火栓装置３の設置間隔で設けられているわけではないインサートアンカー１９を利用して、トンネル軸線方向に複数設置される消火栓装置３の消火栓装置間の距離を所定の距離に調整することもできる。
【００４６】
なお、上記の実施の形態では、消火栓装置３の左右方向の位置調整に関し、載置固定部材１３を縦部材１１と別体で構成し、載置固定部材１３と縦部材１１との間で位置調整可能にした例を示したが、図１１に示すように、消火栓装置３の幅寸法よりも長尺の載置固定部材１３を縦部材１１に固定して、載置固定部材１３に対して消火栓装置３の設置位置を左右に位置調整可能にしてもよい。この場合には、縦部材１１と載置固定部材１３を一体的に構成してもよい。
【００４７】
背面固定部材１５に関しても、図１１に示すように、消火栓装置３の幅寸法よりも長尺のスリット７９が形成された筐体側固定部材８１を壁面側固定部材５３に固定して、筐体側固定部材８１に対して消火栓装置３の筐体１を位置調整可能にしてもよい。筐体側固定部材８１と筐体１との固定は、筐体側固定部材８１のスリット７９にボルトを挿通して筐体１とボルト固定するようにする。
【００４８】
また、上記の実施の形態では、上下方向の位置調整に加えて左右方向の位置調整も可能なものについて説明したが、左右方向の位置調整が不要な場合もあり、この場合には載置固定部材１３を縦部材１１と一体的に構成してもよいし、別部材の場合でも載置固定部材１３を縦部材１１に単に固定するようにすればよい。
【００４９】
また、上記の実施の形態では、縦部材１１に高さ方向で複数設けたボルト孔３５から所望のものを選択して下部側固定部材９に連結することで、下部側固定部材９に対して縦部材１１の上下の位置調整を可能にしたものであった。
しかし、本発明はこれに限られるものではなく、下部側固定部材９の係合部材２３の高さ方向の長さを長く設定し、係合部材２３に高さ方向で複数のボルト孔３１を形成し、この複数のボルト孔３１から所望のものを選択して縦部材１１と連結するようにしてもよい。
【００５０】
また、上記の実施の形態では、縦部材１１に接合部として複数のボルト孔３５を設けて、縦部材１１の下部側固定部材９に対する高さ方向の位置調整は所望のボルト孔３５を選択して段階的に調整するというものであったが、縦部材１１に複数個所（無段階）での接合が可能な接合部として上下方向に長い長孔を形成して、縦部材１１を下部側固定部材９に対して無段階に調整できるようにしてもよい。なお、本発明における「接合部を複数個所とし」には、例えば接合部としてのボルト孔が複数ある場合の他、上述したように、長孔を１つ設けて長孔内での接合箇所が複数（無段階）になるようなものも含む趣旨である。
また、長孔を設ける場合の他の態様として、下部側固定部材９の係合部材２３に上下方向に長い長孔を設けるようにしてもよい。
【００５１】
また、上記の実施の形態では、下部側固定部材９と縦部材１１の接合方法として接合部としてのボルト孔３１、３５を設けてボルト接合する例であったが、本発明における両者の接合方法はこれに限られるものではなく、例えば、下部側固定部材９の係合部材２３に接合部として係止部８３を設けると共に（図１２参照）、縦部材１１の片部３３に接合部として高さ方向で複数の係止片８５を設け（図１３参照）、係止片８５を係止部８３に係止させることで下部側固定部材９に縦部材１１を上下方向の位置調整可能に取り付けるようにしてもよい。
このような、係止部８３と係止片８５による接合の場合も、上記のボルト接合の場合において説明したように、下部側固定部材９の係合部材２３を上下に長い部材として、係合部材２３に高さ方向で複数の係止部８３を設けるようにしてもよい。
【００５２】
［実施の形態２］
本実施の形態に係る消火装置用架台８７を図１４〜図１７に基づいて説明する。なお、本実施の形態の消火装置用架台８７を構成する部材は実施の形態１と同じであり、一部の部材の長さやボルト孔の数が異なるのみなので、図１４〜図１７において、実施の形態１と同一部分及び対応する部分には同一の符号を付してある。
【００５３】
実施の形態１では、壁面に固定した下部側固定部材９に対して縦部材１１を上下方向位置調整可能にしたものであったが、実施の形態２の消火装置用架台８７は、下部側固定部材９を壁面に対して上下方向の位置調整可能に固定し、縦部材１１を下部側固定部材９に対して前後方向の傾き角度調整可能に取り付けたものである。
下部側固定部材９と縦部材１１について詳細に説明する。
【００５４】
＜下部側固定部材＞
本実施の形態の下部側固定部材９は、図１５に示すように、構成部材は実施の形態１と同様であるが、背面プレート２１と係合部材２３の構成が異なっている。
背面プレート２１に関し、本実施の形態の背面プレート２１は実施の形態１よりも縦方向に長く、実施の形態１では背面プレート２１に設けられているボルト孔２７が１個であったが、本実施の形態の背面プレート２１には上下方向で複数のボルト孔２７が設けられている。
また、係合部材２３に関し、実施の形態１では上下方向に複数のボルト孔３１が設けられていたが、本実施の形態ではボルト孔３１の数が１個である点が異なっている。
【００５５】
＜縦部材＞
また、縦部材１１についても、図１６に示すように、構成部材は実施の形態１と同様であるが、上下方向の長さ実施の形態１のものよりも短く、実施の形態１では片部３３に複数のボルト孔３５が設けられていたが、本実施の形態では、ボルト孔３５の数が１個である点が異なっている。
【００５６】
上記のように構成された本実施の形態の下部側固定部材９は、図１７に示すように、背面プレート２１に設けられた複数のボルト孔２７から設置位置との関係で所望のものを選択してインサートアンカー１９にボルト固定される。このように、本実施の形態では、下部側固定部材９の壁面７への固定高さを調整可能になっている。
また、縦部材１１は、下部側固定部材９の対向する片部２９の間に挿入され、係合部材２３のボルト孔３１と縦部材１１のボルト孔３５の位置を合わせてボルト接合される。このとき、縦部材１１はボルト軸を中心として前後方向に傾き角度を調整することができる。このため、下部側固定部材９における使用するボルト孔２７の位置によって背面プレート２１の前後方向の傾きが変わる場合があるが、この傾きを補正することができる。
【００５７】
本実施の形態の消火装置用架台８７を用いて消火栓装置３をトンネルの壁面７に取り付ける方法について、実施の形態１と異なる点を中心に説明する。
まず、下部側固定部材９をトンネルの壁面７にボルト固定する。このとき、背面プレート２１には高さ方向に複数のボルト孔２７が設けられているので、当該消火栓装置３を設置する高さとの関係から最適なボルト孔２７を適宜選択してボルト固定する。
【００５８】
次に、各下部側固定部材９に縦部材１１を取り付けるが、このとき縦部材１１の前後方向の傾き角度を調整して縦部材１１の上面が水平となるようにする。
その後、縦部材１１の上端面に載置固定部材１３を、左右方向の位置を調整して設置する。
これ以降は、実施の形態１と同様である。
【００５９】
以上のように、本実施の形態の消火装置用架台８７によれば、実施の形態１と同様に、インサートアンカー１９を利用して、高さ方向の位置調整可能に消火栓装置３をトンネルの壁面７に設置することができる。
【００６０】
なお、上記の実施の形態１、２では、消火装置の例として、内部に消火用ホースを収納した消火栓装置３を例に挙げて説明したが、本発明の消火装置としては、消火器を収納した消火器箱も含まれる。
また、上記の実施の形態１、２では、１台の消火栓装置３を設置するのに２本の縦部材１１を用いていたが、本発明では１台の消火栓装置３を設置するのに用いる縦部材１１の数は特に限定されない。特に、消火器箱の場合には、横幅が短いことから、１台の消火器箱を１本の縦部材１１を用いて設置することもできる。また、縦部材１１を、その上端から左右方向に延出する横片を有するＴ字状の部材から構成することで、縦部材１１の数が少なくてもより安定した支持が可能になる。
【００６１】
また、上記の実施の形態１、２では、消火栓装置３の姿勢を保持するために、消火栓装置３の筐体１の背面を壁面７に固定するための背面固定部材１５を設けた例を示しているが、消火栓装置３の背面を固定する部材については、消火栓装置３の荷重を支持するものではなく、消火栓装置３の姿勢を保持する補助的なものであることから、上記の例に限られず、筐体１のいずれかの箇所と壁面７とを連結するような部材であれば、その形状は問わない。さらには、例えば消火栓装置の筐体背面をトンネルの壁面７に当接させてトンネルの壁面７で荷重を支持させる等すれば、消火栓装置３の背面固定部材１５はなくても支障がない場合もある。
【００６２】
なお、上記の説明は、トンネルの壁面７以外にも設置できる消火栓装置３を前提として、消火栓装置３を壁面７に設置するための消火装置用架台５、８７について説明した。すなわち、消火装置用架台５、８７が消火栓装置３とは別の物、換言すれば消火栓装置３には消火装置用架台５、８７が含まれない態様について説明した。しかし、例えばトンネルの壁面７に設置することを前提とするならば上記実施の形態で説明した消火装置用架台５、８７を含めてトンネルの壁面設置タイプの消火栓装置として捉えることもでき、本発明にはこのような態様のものも含んでいる。
【符号の説明】
【００６３】
１  筐体
３  消火栓装置
５  消火装置用架台
７  壁面
９  下部側固定部材
１１  縦部材
１３  載置固定部材
１５  背面固定部材
１７  傾斜面部
１９  インサートアンカー
２１  背面プレート
２３  係合部材
２５  連結部材
２７  ボルト孔（背面プレート）
２９  片部（係合部材）
３１  ボルト孔（係合部材）
３３  片部（縦部材）
３５  ボルト孔（縦部材）
３７  正面部
３９  管状突起部
４１  ナット（縦部材）
４３  片部（載置固定部材）
４５  載置固定面部
４７  ボルト孔（載置固定面部）
４９  開口部
５１  スリット（載置固定部材）
５３  壁面側固定部材
５５  筐体側固定部材
５７  固定面部
５９  壁面側連結面部
６１  補剛面部
６３  ボルト孔（固定面部）
６５  ボルト孔（壁面側連結面部）
６７  ナット（壁面側連結面部）
６９  筐体側固定面部
７１  筐体側連結面部
７３  ボルト孔（筐体側固定面部）
７５  ナット（筐体側固定面部）
７７  スリット（筐体側連結面部）
７８  ボルト孔（筐体背面）
７９  スリット（他の態様）
８１  筐体側固定部材（他の態様）
８３  係止部
８５  係止片
８７  消火装置用架台（実施の形態２）
８９  路面
９１  監視員通路
【図１】
2020039596.tif 000003
【図２】
2020039596.tif 000004
【図３】
2020039596.tif 000005
【図４】
2020039596.tif 000006
【図５】
2020039596.tif 000007
【図６】
2020039596.tif 000008
【図７】
2020039596.tif 000009
【図８】
2020039596.tif 000010
【図９】
2020039596.tif 000011
【図１０】
2020039596.tif 000012
【図１１】
2020039596.tif 000013
【図１２】
2020039596.tif 000014
【図１３】
2020039596.tif 000015
【図１４】
2020039596.tif 000016
【図１５】
2020039596.tif 000017
【図１６】
2020039596.tif 000018
【図１７】
2020039596.tif 000019
【図１８】
2020039596.tif 000020